(57)【要約】【課題】布基礎コンクリートの間に土間コンクリート層を有する建物の基礎であって、土間コンクリート層中に鉄筋を埋設しないでも十分な強度が確保され、又施工工数の削減が図られる建築物の基礎を提供する。【解決手段】コンクリート中には、化学繊維や金属片を補強材６，６…として混入することで高い強度を確保し、そして土間コンクリート層３にはスリット溝９，９を設けることで、大きな地震が発生した際には該スリット溝９，９にて土間コンクリート層３が分断されて布基礎コンクリート１，２への揺れの伝達を抑える。【選択図】　　　　図１
2004100362.tif 000002
【特許請求の範囲】
【請求項１】
布基礎コンクリートの間に土間コンクリート層を有する建物の基礎において、上記土間コンクリート層中には鉄筋を埋設せず、しかしコンクリート中には補強材を混入し、上記土間コンクリート層にはスリット溝を設けたことを特徴とする建築物の基礎。
【請求項２】
上記補強材として化学繊維を用いた請求項１記載の建築物の基礎。
【請求項３】
上記補強材として金属片を用いた請求項１記載の建築物の基礎。
【発明の詳細な説明】
【０００１】
【発明の属する技術分野】
本発明は建物の基礎工事において、工程の削減を図り、布基礎でありながらベタ基礎と同等に強度が保持される基礎に関するものである。
【０００２】
【従来の技術】
住宅の基礎工事においては布基礎を施工してから建物の内部に防湿土間を施工するのが一般的であるが、このような工程を採用する場合コンクリートの特性により収縮を起こし、該コンクリートに隙間が発生して防湿機能が損われる。そこで、ベタ基礎形状にして土間部分を一体化することで防湿機能を高めている。又、ベタ基礎構造とすることにより、耐震効果が大きいことも知られている。しかし、布基礎部分を後から施工しているので、水、シロアリ等が打ち繋ぎから侵入するといった問題もある。
【０００３】
上記のごとく、ベタ基礎にすることで防湿効果は高く、地震の時に起きる水平加速度を全体に伝え、基礎の構造においても強固なものが出来、地震に対しての耐震効果がある。阪神淡路大地震の教訓を生かし、布基礎よりベタ基礎の方が耐震性に優れていることが分かり、最近ではベタ基礎が急速に普及している。
【０００４】
図４は従来のベタ基礎の断面を示しているが、所定の間隔をおいて起立した布基礎コンクリート（イ）、（ロ）の間には土間が設けられ、土間コンクリート層（ハ）と成っている。ここで布基礎コンクリート（イ）及び布基礎コンクリート（ロ）には鉄筋（ニ）、（ホ）が埋着され、しかも土間コンクリート層（ハ）にも鉄筋（ヘ）が埋着されている。
【０００５】
土間コンクリート層（ハ）の鉄筋（ヘ）は、布基礎として構成する場合には溶接金網程度でよいが、ベタ基礎構造になると、１３ｍｍの太さの棒鋼を２００ｍｍピッチに縦横に組まれる。柱間の間隔によっては、補強の為に１９ｍｍ程度の棒鋼を主筋にして梁の形状にして組み込まれる場合もある。このように、ベタ基礎の場合には十分な強度を持たせる為に大変な鉄筋の量が必要であり、組み付けにも多くの時間がかかることになる。
【０００６】
【発明が解決しようとする課題】
このように、建物の基礎をベタ基礎とすることで上記のごとき問題が残されている。本発明が解決しようとする課題はこれら問題点であり、土間コンクリート層に鉄筋を埋着しないで十分な強度が確保され、施工工数の削減が図られる建築物の基礎を提供する。
【０００７】
【課題を解決する為の手段】
本発明に係る建築物の基礎は、ベタ基礎の形態を成しているが、土間のコンクリート層には鉄筋を使用しているない。そこで、該土間コンクリート層の強度を確保する為に、コンクリート中に金属片、布片、化学繊維等の補強材を混入している。すなわち、生コンクリート中に上記補強材を混入したものを型枠に流し込んで、布基礎コンクリート及び土間コンクリート層が造成される。
【０００８】
このように、補強材をコンクリート中に混入することで、コンクリートの引張り強度、特に曲げ強度が大きく向上し、土間のコンクリート層内に鉄筋を埋着する必要がなくなる。そして、土間のコンクリート層にスリット溝を設け、該土間に作用する力が布基礎コンクリートに伝わらない構造としている。以下、本発明に係る実施例を図面に基づいて詳細に説明する。
【０００９】
【実施例】
図１は本発明に係る建築物の基礎断面を示す実施例である。該基礎は外側に位置する布基礎コンクリート１と内側に位置する布基礎コンクリート２が垂直に起立し、両布基礎コンクリート１，２間には土間コンクリート層３が設けられている。従って外観的にはベタ基礎と同じ形態であるが、構造的には布基礎と成っている。
【００１０】
すなわち、布基礎コンクリート１及び布基礎コンクリート２の内部には鉄筋４，５が埋着されているが、しかし土間コンクリート層３には鉄筋が存在していない。そこで、本発明では、コンクリート内部に補強材６，６…を混在し、コンクリートの引張り強度の向上を図っている。ここで、上記補強材としては化学繊維、布、金属片などが用いられる。ただし、補強材の種類は限定しないことにする。
【００１１】
図２は前記図１の基礎を造成する場合の型枠を示しているが、布基礎コンクリート１は型枠７ａ，７ｂにコンクリートを流し込んで造成され、布基礎コンクリート２は型枠８ａ，８ｂにコンクリートが流し込まれて造成される。型枠７ａ，７ｂ及び型枠８ａ，８ｂの上部からコンクリートが流し込まれるならば、その下端から流れ出たコンクリートは土間コンクリート層３を形成する。
【００１２】
勿論、型枠７ａ，７ｂ、及び型枠８ａ，８ｂの間には鉄筋が設置されていて、流し込まれたコンクリート内に埋設される。一方、土間となる土間コンクリート層３には、その上面からゴム板又は木板が埋め込まれ、土間コンクリート層３が硬化した後で取外されるならば、スリット溝９，９となる。このスリット溝９，９は大きな地震に際して基礎が揺れ動くことで該スリット溝９，９から土間が分離し、布基礎コンクリート１，２の揺れを抑制することが出来る。特に、土間コンクリート層には鉄筋が埋設されていないことで、該土間コンクリート層の分断が容易になる。
【００１３】
図３は本発明の基礎を示す他の実施例である。基本的な形状は前記図１に示した基礎と共通しているが、外側の布基礎コンクリート１の下端部から外方向へコンクリート基台１０を延ばしていて、布基礎コンクリート１の接地面積を拡大することで、該布基礎コンクリート１の耐荷重の強化を図っている。
【００１４】
以上述べたように、本発明の基礎は土間のコンクリート層には鉄筋を埋着しないで、コンクリート中に補強材を混入したものであり、次のような効果を得ることが出来る。
【００１５】
【発明の効果】
本発明の基礎はその外観上はベタ基礎であるが、土間のコンクリート層中には鉄筋を埋着しない。その代わり布基礎コンクリート及び土間コンクリート層中には金属片や化学繊維が多数混在していて、これらがコンクリートを補強することになる。従って、従来のように土間のコンクリート層に埋着される鉄筋が必要でないことで、鉄筋の据付け作業が不要となり、基礎工事に要する作業工数は大幅に削減される。
【００１６】
しかし、強度が低下することはない。例えば、化学繊維を補強材として混入することで、コンクリートの曲げ強度は約５０倍になることがテストにて確かめられ、布基礎コンクリートの耐荷重も大きく向上する。一方、本発明では土間のコンクリート層にスリット溝を形成している為に、この部分の土間コンクリート層は弱く、従って大きな地震が発生した場合には、該スリット溝にて土間コンクリート層が分断されて、布基礎への揺れの伝達を抑えることが出来る。土間コンクリート層に鉄筋が埋設されていないことで、揺れによって分断され易くなっている。
【図面の簡単な説明】
【図１】本発明の基礎断面を示す実施例。
【図２】本発明の基礎を造成する型枠。
【図３】本発明の基礎断面を示す他の実施例。
【図４】従来のベタ基礎断面図。
【符号の説明】
１　布基礎コンクリート
２　布基礎コンクリート
３　土間コンクリート層
４　鉄筋
５　鉄筋
６　補強材
７　型枠
８　型枠
９　スリット溝
１０　コンクリート基台
【図１】
2004100362.tif 000003
【図２】
2004100362.tif 000004
【図３】
2004100362.tif 000005
【図４】
2004100362.tif 000006